【事件の表示】
　特許第３４５１３９３号「プラグコネクタ及びソケットコネクタ」の請求項１０ないし１７に係る特許に対する特許異議の申立てについて、次のとおり決定する。
【結　論】
　訂正を認める。
　特許第３４５１３９３号の請求項１０ないし１５に係る特許を維持する。
【理　由】
１．訂正の適否について
（１）訂正の内容
　平成１７年８月４日付け訂正請求書による訂正請求（以下、「本件訂正」という。）は、別紙「訂正の内容」に示すとおりである（別紙「訂正の内容」参照）。
　
（２）訂正の適否
　訂正事項ａの内の請求項１０についての訂正は、「第１の相手側コネクタ嵌合部」につき、「前記第１の相手側コネクタ嵌合部は、
インシュレータに保持された複数の
夫々２本ずつを１つのペアとして備えた夫々複数の第１の接触部及び第２の接触部を夫々備え、前記第１の接触部のペアと前記第２の接触部のペアとが
前記第１の相手側コネクタ嵌合部に配置され
前記複数の第１の
前記
第１の
である幅方向
、前記第３方向における前記第１のソケットコンタクトが配設される側とは反対側の端部から前記第１の相手側コネクタ嵌合部まで前記第１の方向の
前記
各第２の
前記第１の方向に対して反対側に延在する
第２の
ソケットコネクタの
である厚さ方向に起立した細長い板状の平面として
れ
前記第１の半田付端子部の２本が前記第２の半田付け端子部の２本の間に前記第２の方向で挟み込まれるように、前記第２の方向に沿う一平面上に配置されている
　また、上記と同じ訂正内容であるところの訂正事項ａの内の段落【００４２】についての訂正は、特許請求の範囲の記載の訂正に伴い、発明の詳細な説明の記載を整合させるものであるから、明りょうでない記載の釈明を目的とするものである。
　訂正事項ｂは、明細書の請求項１１、１２及び段落【００４３】、段落【００４４】を削除し、訂正前の請求項１３〜１７をそれぞれ請求項１１〜１５と番号を繰り上げるとともに、訂正後の請求項１１、１２、１４、１５において訂正前に「請求項１０又は１１記載」と引用していたところを「請求項１０に記載」と引用するものに訂正し、同様に訂正後の請求項１３の「請求項１４記載」を「請求項１２に記載」と訂正するものであるから、特許請求の範囲の減縮又は明りょうでない記載の釈明を目的とするものである。
　訂正事項ｃ〜ｈは、明らかな誤記を訂正するものである。
　
　そして、訂正事項ａ〜ｈの訂正内容は、いずれも特許明細書に記載されていた事項の範囲内のものであって、実質上特許請求の範囲を拡張し又は変更するものではないといえる。
　以上のことから、訂正事項ａ〜ｈは、特許法第１２０条の４第２項ただし書き第１号ないし第３号の規定、並びに特許法第１２０条の４第３項で準用する特許法第１２６条第２項ないし第３項の規定に適合するものである。
　したがって、本件訂正を認める。
　
２．特許異議申立の理由及び取消理由の概要
（１）特許異議申立の理由の概要
　特許異議申立人・坂本聡は、訂正前の請求項１０〜１７に係る発明は、甲第１号証ないし甲第４号証に記載された発明に基づいて、その出願前にその発明の属する技術の分野における通常の知識を有する者が容易に発明をすることができたものであるから、特許法第２９条第２項に該当し、特許法第１１３条第２号の規定により取り消されるべきものである旨を主張する。
（証拠）
甲第１号証：登録実用新案第３０２７０４８号公報
甲第２号証：特開平１−２２１８７５号公報
甲第３号証：特開平９−５５２６５号公報
甲第４号証：特開平５−１４４５２１号公報
　
（２）取消理由の概要
　平成１７年５月３０日付けの当審による取消理由の概要は、訂正前の請求項１０〜１７に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができないというものである。 
　　　　　　　　　　　　　　　　記
 刊行物１：特開平１−２２１８７５号公報（特許異議申立の甲第２号証である。）
 刊行物２：登録実用新案第３０２７０４８号公報（同上甲第１号証である。） 
 刊行物３：特開平９−５５２６５号公報（同上甲第３号証である。） 
 刊行物４：特開平５−１４４５２１号公報（同上甲第４号証である。） 
　
３．当審の判断
（１）本件発明
　上記のとおり、本件訂正は認められるから、本件特許の請求項１０〜請求項１５係る発明（以下順に、「本件発明１０」〜「本件発明１５」という。）は、平成１７年８月４日付け訂正請求書に添付された訂正明細書の特許請求の範囲の請求項１０〜１５に記載されたとおりの次のものである。
　
（本件発明１０）
「相手側コネクタであるプラグコネクタと第1の方向に嵌合する第1の相手側コネクタ嵌合部と、基板に半田付するための基板接続部とを備えたソケットコネクタにおいて、前記プラグコネクタは、前記第1の相手側コネクタ嵌合部に嵌合する第２の相手側コネクタ嵌合部に、相手側コンタクトを備え、前記第１の相手側コネクタ嵌合部は、インシュレータに保持された複数の第１のソケットコンタクトと、第２のソケットコンタクトとを備え、前記第１及び第２のソケットコンタクトは、夫々２本ずつを１つのペアとして備えた夫々複数の第１の接触部及び第２の接触部を夫々備え、前記第１の接触部のペアと前記第２の接触部のペアとが前記第２の相手側コネクタ嵌合部を前記第１の方向及び当該ソケットコネクタの幅方向である第２の方向に交差する第３の方向に挟み込むように、互いに対向して配置され、前記相手側コンタクトは前記第１及び第２のソケットコンタクトの各々と接続する相手側シグナルコンタクトと相手側グランドコンタクトとを備え、前記第１のソケットコンタクトは、前記第１の相手側コネクタ嵌合部に配置され前記相手側シグナルコンタクトと弾性的に接触する前記複数の第１の接触部と前記基板に半田付け接続するための第１の半田付端子部とを有し、前記第２のソケットコンタクトは、前記第2の方向である幅方向に延在する連結部と、前記連結部から、前記第３方向における前記第１のソケットコンタクトが配設される側とは反対側の端部から前記第１の相手側コネクタ嵌合部まで前記第１の方向の前方に延在するとともに前記相手側グランドコンタクトに弾性的に接触する前記複数の第２の接触部と、前記連結部から前記各第２の接触部とは、前記第１の方向に対して反対側に延在する基板に接続するための第２の半田付端子部とで構成されたグランドプレートからなり、前記連結部は、前記ソケットコネクタの第３の方向である厚さ方向に起立した細長い板状の平面として前記第２の方向に沿って配置され、前記第１の半田付端子部の２本が前記第２の半田付け端子部の２本の間に前記第２の方向で挟み込まれるように、前記第２の方向に沿う一平面上に配置されていることを特徴とするソケットコネクタ。」
　
（本件発明１１）
「請求項１０に記載のソケットコネクタにおいて、前記グランドプレートの前記連結部と前記複数の接触部と前記半田付端子部とが一枚板の打ち抜きによって一体形成されていることを特徴とするソケットコネクタ。」
（本件発明１２）
「請求項１０に記載のソケットコネクタにおいて、周囲に導電性のシェルを備え、前記グランドプレートは、前記接触部の一面側において、前記相手側グランドコンタクトと接触するとともに、前記接触部の他面側において、前記シェルと接触していることを特徴とするソケットコネクタ。」
（本件発明１３）
「請求項１２に記載のソケットコネクタにおいて、前記シェルは、前記第１の相手側コネクタ嵌合部において、折り返し部が設けられているとともに、前記グランドプレートの接触部を収容するための切り欠き部が設けられていることを特徴とするソケットコネクタ。」
（本件発明１４）
「請求項１０に記載のソケットコネクタにおいて、前記グランドプレートの接触部は、前記連結部の下端から前方に折曲して前方に延在するとともに、前記半田付端子部は前記連結部の上端から後方に延在していることを特徴とするソケットコネクタ。」
（本件発明１５）
「請求項１０に記載のソケットコネクタにおいて、前記グランドプレートの接触部は、前記連結部の下端から前方に折曲して前方に延在するとともに、前記半田付端子部は前記連結部の下端から後方に延在していることを特徴とするソケットコネクタ。」
　
（２）取消理由通知で引用された刊行物に記載された発明
ａ．刊行物１に記載された発明
　刊行物１には、「フラットケーブル用コネクタ」の発明に関して、図面の第１図〜第８図とともに、次の事項が記載されている。
（イ）「〔産業上の利用分野〕
  本発明はケーブル用コネクタに関し、より具体的には、複数の導体間の間隔が微小であり、複数の導体が交互に信号導体及び接地導体として使用され、それにより、高速信号伝送用の高密度ケーブルを使用でき、又、接地導体をコネクタのハウジングに取り付けたケーブル用コネクタに関する。」（公報第１頁右下欄の第２〜８行）
（ロ）「〔実施例〕
  以下に説明する本発明の実施例は、特に、第１図に示すようなフラットリボンケーブル10に使用するためのものであり、複数の導体を平行並置状態で備えており、それらの導体は交互に信号導体14と接地導体12として使用される。
  この実施例のコネクタは２つの部分から構成されており、一方の部分が可動コネクタ部分１であり、他方の部分が固定コネクタ部分又はヘッダ３である。
  可動コネクタ部分１はソケット組立体２と、接地シェル16,18と、フラットリボンケーブル10とを備えており、ケーブル10は、以下に説明する如く予め間隔を隔てた状態で、ソケット組立体２及びシェル16に固定されている。フラットリボンケーブル10は複数の絶縁信号導体14を備えており、それらの導体は、２個の隣接する信号導体14の間に少なくとも１個の接地導体12が位置する状態で設けてある。」（公報第２頁右下欄の第９行〜第３頁左上欄の第７行）
（ハ）「第３図には組み立ての完了した可動コネクタ部分の横断面側面図が示してあり、図示の構造では、薄い絶縁層を設けたフラットリボンケーブル10が信号接点ピン８においてソケット組立体２に接合されている。その接合部では、信号導体14が信号接点ピン８に半田付されている。接地導体12は上向きに折り曲げてあり、接地シェル16の上半部に半田付されている。接地シェル18の下半部は導体−接点接合部の底部を覆ってそれを完全に包むとともに、接地シェル16の上半部に電気的に接触している。両シェルで形成される包囲体にはプラスチックのような材料を充填することもでき、その場合には、環境保護構造を実現できる。
  第４図には完全に組み立てられた状態の可動コネクタ部分１と固定コネクタ部分３とが斜視図で示してある。下部接地シェル18は上部接地シェル16に合わせてあり、信号導体−接点接合部を有するリボンケーブルの領域とソケット組立体２を完全に囲んでいる。更に斜視図には、ソケット組立体２のソケット20と、それにはめ合わせられるヘッダ３のはめ合い接点32も示してある。
  第１図には、コネクタの固定部分（ヘッダ３）も分解状態で示してある。ヘッダ３は絶縁ハウジング30を備えており、その内部にはめ合わせ接点32が互いに平行な２列状態で設けてある。はめ合わせ接点32は間隔を隔てて設けてあり、コネクタを完全に組み立てた状態では、可動コネクタ部分１のソケット20内にはめ込まれるようになっている。
  第１図には１列に並んだばね状フィンガ34も示されている。フィンガ34は絶縁ハウジング30の内部に設けてあり、はめ合わせ接点32の列の上側に位置している。１列状態のばね状フィンガ34と列状態のはめ合わせ接点32において、隣接する列の間には1.27ミリ（50ミル）の中心間隔を隔てることが好ましい。ばね状フィンガは接地シェル16、18に電気的及び機械的に接触するようになっている。第5a図には、１個のばね状フィンガ34（１列のばね状フィンガの一部）がハウジング30内のはめ合わせ接点32の上側に位置する状態が横断側面図として示してある。
  第１図及び第３図に示す絶縁ハウジング30は熱可塑性プラスチックで構成し、全体の幅を約5.08ミリ（0.2インチ）にすることが好ましい。２列の信号接点の各列において間隔を1.27ミリ（0.050インチ）にすることにより、上記幅によると、25.4ミリ（１インチ）当り40の信号位置が可能となる。それにより、ケーブル組立体では、コネクタの固定部分３を取り付ける基板において、6.4516平方センチ（１平方センチ）当り200の信号接点が設けられる。」（公報第３頁右下欄の第２行〜第４頁右上欄の第１２行）
（ニ）「〔発明の効果〕
  本発明は、複数の信号及び接地導体を備えたフラットケーブル用の電気的コネクタであって、ソケット組立体を有する可動コネクタ部を備え、該ソケット組立体が少なくとも１列の一定間隔を隔てた信号接点ピンとソケットとを有し、又、複数の信号導体と接地導体が、接地導体が接地シェルに取り付けられるとともに、信号導体がソケット組立体に対して信号接点ピンに接合することにより固定される状態で間隔を隔てて設けてあり、可動コネクタ部を包むシェルが設けてあり、列状のはめ合わせ接点と少なくとも１列のばね状フィンガを有する絶縁ハウジングを備えた固定コネクタ部が設けてある。固定コネクタ部は可動コネクタ部に対して接点をソケットにはめ合わせることにより固定されている。」（公報第５頁左上欄の第１〜１６行）
　
ｂ．刊行物２に記載された発明
　刊行物２には、「ＦＦＣ／ＦＰＣ用コネクタ」に関して、明細書の段落【００１３】に「【実施例】  以下、本考案の実施例を添付図面に基づき詳細に説明する。  図１，図２に示した様に、本考案のＦＦＣ／ＦＰＣ用コネクタは、ハウジング１とハウジング１に横並びに配設された複数の端子２及び上記複数の端子２各々のコンタクト部４に対向する位置に設けられた板状の弾性体６より成るものであって、上記複数の端子２各々のコンタクト部４と板状の弾性体６の圧接部７との間の空間をＦＦＣ／ＦＰＣ１８の挿入空間Ｓと成し、この挿入空間ＳにＦＦＣ／ＦＰＣ１８を挿入することによって、その保持・固定が行われると同時に、上記ＦＦＣ／ＦＰＣ１８の導体部分１９を複数の端子２各々のコンタクト部４に対して圧接し、ＦＦＣ／ＦＰＣ１８とプリント回路基板Ｐ等との電気的接続が行われる様に構成されているものである。」、段落【００１８】〜【００２２】に「次に、上記ハウジング１に配設される複数の端子２の各々は、その一端にコンタクト部４、他端にテール部５を有する導電性材料より成る端子本体３によって構成されているものであり、上記ハウジング１に形成された溝部１４に対して収容され、その保持・固定が行われているものであって、この時、上記コンタクト部４は、溝部１４が形成された収容部２０の底面から突出する様に成されているものである。
   そして、上記板状の弾性体６は、上記ハウジング１に配設される複数の端子２に向ってＦＦＣ／ＦＰＣ１８を押し付ける様に構成されている（複数の端子２側に向かって折り曲げられている）と共に、その左右両端に脚部８を有して成るものであって、その先端部分９は、上方に向かって立ち上がる様に折り曲げられているものであり、この折り曲げられた部分の最下部がＦＦＣ／ＦＰＣ１８を上記複数の端子２各々のコンタクト部４に押し付ける為の圧接部７を成している。
  そして、上記ハウジング１に形成された収容部２０への収容は、板状の弾性体６の後端部分１０をハウジング１の保持穴１５に挿入すると共に、脚部８をハウジング１の側部２１に位置させることによって行われるものであり、ハウジング１の収容部２０に収容された板状の弾性体６と収容部２０の底面の溝部１４に収容された複数の端子２との間の空間、即ち、板状の弾性体６の圧接部７と複数の端子２各々のコンタクト部４との間の空間がＦＦＣ／ＦＰＣ１８の挿入空間Ｓを構成しているものである。
  さらに、上記上部カバー１１は、上記板状の弾性体６の上方に位置し、板状の弾性体６を保護するものであって、その前方には板状の弾性体６の先端部分９の立ち上げをかわす為の逃げ穴１３が形成されていると共に、その前方端の裏面にはテーパー部２２が形成されており、また、その左右両端の前方には係合片１２が形成されているものであり、この係合片１２を上記ハウジング１の上部前方に形成された係合溝１６に係合させることによって、上記上部カバー１１のハウジング１への係止・装着が行われるものである。
  そして、上記板状の弾性体６及び上部カバー１１は、絶縁材料あるいは導電性材料によって形成されるものであり、板状の弾性体６及び上部カバー１１のいずれか一方を導電性材料で形成することにより、ＦＦＣ／ＦＰＣ用コネクタのシールド性が向上するものであり、また、上記ＦＦＣ／ＦＰＣ用コネクタを積層化する場合には、上部カバー１１を絶縁材料で形成することにより、ＦＦＣ／ＦＰＣ用コネクタの積層化の際に重ね合わされるＦＦＣ／ＦＰＣ用コネクタ間の独立性（絶縁性）が保たれることとなり、ＦＦＣ／ＦＰＣ用コネクタの積層化時の信頼性が向上するものである。」との記載、段落【００２４】に「上記プリント回路基板Ｐに実装されたＦＦＣ／ＦＰＣ用コネクタは、ＦＦＣ／ＦＰＣ用コネクタに配設された複数の端子２各々のテール部５をプリント回路基板Ｐの導体部分（図示せず）に半田付け等によって接続して成るものであり、この複数の端子２を介してＦＦＣ／ＦＰＣ１８の導体部分１９とプリント回路基板Ｐの導体部分との接続が行われるものである。」との記載がある。
　
ｃ．刊行物３に記載された発明
　刊行物３には、「フィルタ素子を備えたコネクタ」の発明に関して、公報第３頁右欄の段落【００１６】に「さらに、ＦＰＣ要素５２のそれぞれは、相手コンタクト４に第１の導電体５５を一対一に接続させるよう形成した接触部６０と、基板７０に形成されている信号線路用の信号パターン（図示せず）に一対一に接続するための接続部６１とを有している。」との記載、同じく【００２０】に「図１に戻り、ハウジング１０は、第１の面１２、この第１の面１２に平行な第２の面１３を有するベース部１４と、第１の面１２上に設けられグランドプレート部材２の一部及びフィルタ素子５の一部を受け入れる第１の嵌合口部１５と、第２の面１３上に設けられ相手コネクタ３を嵌合する第２の嵌合口部１６と、第１の面１２から直角にのびて基板７０に設置される設置部１７とを有している。」との記載、公報第４頁左欄の段落【００２３】〜【００２４】に「グランドプレート部材２は、プレート接触部２１を有する第１のプレート部２２と、第１のプレート部２２に平行な第２のプレート部２３と、プレート接触部２１とは反対側の第１及び第２のプレート部２１、２２の端を相互に接続したプレート接続部２４とを有している。　第１のプレート部２２は、ＦＰＣ要素５２にグランド接続するためのプレート接触子２５を有している。プレート接触子２５には、ネジ穴２５ａが形成されている。第２のプレート部２３は、プレート取付部３２にグランド接続するラグ接触子２６を有している。ラグ接触子２６には、ネジ穴２６ａが形成されている。」との記載、同頁右欄の段落【００３１】に「なお、ハウジング１０は、相手コネクタ３を第２の嵌合口部１６から嵌合したとき、フィルタ素子５の第１の導電体５５は、グランドプレート部材２のプレート接触部２１の弾性による押上力により接触し電気的に接続される。」との記載がある。
　
ｄ．刊行物４に記載された発明
　刊行物４には、「フレキシブルプリントケーブル」の発明に関して、公報第２頁左欄の段落【０００３】に「または、フレキシブルプリントケーブルの中心部にベースフィルムを設け、そのどちらか一方の側に信号パターンが配設され、他方の側にグランドパターンが配設され、それらのパターンを被膜するためのカバーフィルムで覆われている。」との記載、同頁右欄の段落【００１０】に「図２と図３はフレキシブルプリントケーブルが折り曲げ部３０にもとずいて折り曲げられた状態を示すものであり、図２はグランドパターン４０と信号パターン２０とが上面に向く方向から見たもので、図３は図２とは反対に全面グランドパターン１０が上面に向く方向から見たものである。ここで、全面グランドパターン１０は図４で示すコネクタ５０と接続されるような幅を持たせている。したがって、コネクタ５０と接続される部分の幅は２重構造になっている。」との記載がある。
　
（３）対比・判断
ａ．本件発明１０について
　本件発明１０が備えるところの「前記第１の相手側コネクタ嵌合部は、
インシュレータに保持された複数の
夫々２本ずつを１つのペアとして備えた夫々複数の第１の接触部及び第２の接触部を夫々備え、前記第１の接触部のペアと前記第２の接触部のペアとが
前記第１の相手側コネクタ嵌合部に配置され
前記複数の第１の
前記
第１の
である幅方向
、前記第３方向における前記第１のソケットコンタクトが配設される側とは反対側の端部から前記第１の相手側コネクタ嵌合部まで前記第１の方向の
前記
各第２の
前記第１の方向に対して反対側に延在する
第２の
ソケットコネクタの
である厚さ方向に起立した細長い板状の平面として
れ
前記第１の半田付端子部の２本が前記第２の半田付け端子部の２本の間に前記第２の方向で挟み込まれるように、前記第２の方向に沿う一平面上に配置されている
　また、上記した構成が、本件特許出願日前に、本件発明の属する技術分野において周知ないし公知の技術であったといえる証拠も他に見出すことができない。
　そして、本件発明は、上記した構成を備えることにより特許明細書記載の作用ないし効果を奏するものといえる。
　したがって、本件発明１０は、刊行物１〜４に記載された発明に基いて、いいかえれば特許異議申立書で提示された各証拠に基いて、当業者が容易に発明をすることができたものということができない。
　
ｂ．他の請求項に係る発明について
　本件発明１１〜１５は、本件発明１０を更に限定するものといえるから、上記と同様の理由により、刊行物１〜４に記載された発明に基いて、いいかえれば特許異議申立書で提示された各証拠に基いて、当業者が容易に発明をすることができたものということはできない。
　
４．むすび
　以上のとおりであるから、特許異議申立の理由及び証拠によっては、本件発明１０〜１５に係る特許を取り消すことができない。
　また、本件発明１０〜１５に係る特許につき、他の取り消すべき理由も見出すことができない。
　よって、結論のとおり決定する。
【異議決定日】
平成１７年９月３０日（２００５．９．３０）
【訂正の要旨】
審決（決定）の【理由】欄参照。
（５４）【発明の名称】
プラグコネクタ及びソケットコネクタ
（５７）【特許請求の範囲】
　【請求項１】インシュレータの一端に相手側コネクタと第１の方向に沿って嵌合する相手側コネクタ嵌合部と、前記インシュレータの他端に同様に第１の方向に沿ってＦＰＣ又はＦＦＣに嵌合するためのＦＰＣ嵌合部とを備えたプラグコネクタにおいて、前記ＦＰＣ嵌合部には、複数の第１のプラグコンタクトと、夫々グランド信号を送るための第２のプラグコンタクトとが、前記第１のプラグコンタクトの２本づつを１ペアとし、この１ペア間に前記第２のプラグコンタクトが配置されるように、前記インシュレータ内の前記第１の方向に交差する第２の方向に並設され、前記第２のプラグコンタクトの夫々は、一枚の導電板からなるグランドプレートに形成され、前記第１のプラグコンタクトと、前記グランドプレートとで、前記インシュレータを挟み込んで構成されていることを特徴とするプラグコネクタ。
　【請求項２】インシュレータの一端に相手側コネクタと第１の方向に沿って嵌合する相手側コネクタ嵌合部と、前記インシュレータの他端に同様に第１の方向に沿ってＦＰＣ又はＦＦＣに嵌合するためのＦＰＣ嵌合部とを備えたプラグコネクタにおいて、前記ＦＰＣ嵌合部には、前記第１の方向に交差する第２の方向に並んだ第１のプラグコンタクトの２本のペアと、前記ペアの間に配置されたグランド信号を送るための第２のプラグコンタクトとからなるコンタクト群の複数が、前記インシュレータ内に配置され、前記第２のプラグコンタクトの夫々は、一枚の導電板からなるグランドプレートに形成され、前記第１のプラグコンタクトは、夫々前記第１の方向に延長した延長部を形成し、前記相手側コネクタ嵌合部は、前記延長部と、前記インシュレータと、前記延長部に対して前記第１及び第２の方向に交差する第３の方向に前記インシュレータを介して対向した前記グランドプレートとを備えた板形状を有することを特徴とするプラグコネクタ。
　【請求項３】請求項２記載のプラグコネクタにおいて、前記相手側コネクタ嵌合部は、ノンピンタイプのプラグ側嵌合部として形成されていることを特徴とするプラグコネクタ。
　【請求項４】請求項１乃至３の内のいずれかに記載のプラグコネクタにおいて、前記グランドプレートは、前記第２のプラグコンタクトによって、それ自体でＦＰＣを挟み込むことが可能な形状を有していることを特徴とするプラグコネクタ。
　【請求項５】請求項１乃至３の内のいずれかに記載のプラグコネクタにおいて、外周部に前記第１の方向にスライド移動可能なシェルを備え、前記シェルは、前記ＦＰＣが嵌合の際に、前記ＦＰＣを前記コンタクト群に接触させるように、前記第１の方向に移動させるスライダー部を備えていることを特徴とするプラグコネクタ。
　【請求項６】請求項５記載のプラグコネクタにおいて、前記シェルは、前記ＦＰＣが嵌合の際、抜けを防止する抜止手段を備えていることを特徴とするプラグコネクタ。
　【請求項７】請求項６記載のプラグコネクタにおいて、前記ＦＰＣの抜けを防止するロック手段を備え、前記ロック手段は、前記インシュレータの前記第２の方向に突出する突出部と、前記インシュレータの突出部に対応して前記シェルに設けられた孔を備えたバネ部を持ち、前記ロック手段は、治具を用いて容易に解除可能に形成されていることを特徴とするプラグコネクタ。
　【請求項８】請求項５乃至７の内のいずれかに記載のプラグコネクタにおいて、前記シェルは、前記スライダー部とともに一体の部品で形成されていることを特徴とするプラグコネクタ。
　【請求項９】請求項８記載のプラグコネクタにおいて、前記スライダー部は１個の部品のみによって形成された板状の電気材料からなることを特徴とするプラグコネクタ。
　【請求項１０】相手側コネクタ
であるプラグコネクタ
プラグコネクタ
　前記第１の相手側コネクタ嵌合部は、
インシュレータに保持された複数の
　前記第１及び第２のソケットコンタクトは、
夫々２本ずつを１つのペアとして備えた夫々複数の第１の接触部及び第２の接触部を夫々備え、前記第１の接触部のペアと前記第２の接触部のペアとが
　前記相手側コンタクトは前記第１及び第２のソケットコンタクトの各々と接続する相手側シグナルコンタクトと相手側グランドコンタクトとを備え、
　前記第１のソケットコンタクトは、
前記第１の相手側コネクタ嵌合部に配置され
前記複数の第１の
前記
第１の
　前記第２のソケットコンタクトは、前記第２の方向
である幅方向
、前記第３方向における前記第１のソケットコンタクトが配設される側とは反対側の端部から前記第１の相手側コネクタ嵌合部まで前記第１の方向の
前記
各第２の
前記第１の方向に対して反対側に延在する
第２の
　前記連結部は、前記
ソケットコネクタの
である厚さ方向に起立した細長い板状の平面として
れ、
　前記第１の半田付端子部の２本が前記第２の半田付け端子部の２本の間に前記第２の方向で挟み込まれるように、前記第２の方向に沿う一平面上に配置されている
　【請求項
１１
１０に
　【請求項
１２
１０に
　【請求項
１３
１２に
　【請求項
１４
１０に
　【請求項
１５
１０に
【発明の詳細な説明】
　【０００１】
　【発明の属する技術分野】
　本発明は、高速伝送に対応したコネクタに関し、詳しくは、プリント配線基板に接続するためのプラグコネクタと、フレキシブルプリント配線基板（ＦＰＣ）又はフレキシブルフラットケーブル（ＦＦＣ）を前記ソケットコネクタに接続するためのプラグコネクタと、これらのコネクタを備えた高速伝送用コネクタに関する。
　【０００２】
　【従来の技術】
　従来、ノートパソコン等に使用されるシールド機能付きコネクタが提案されている（特願平９−８１１２９号、以下、単に従来技術と呼ぶ、参照）。従来技術によるシールド機能付きコネクタコネクタは、互いに嵌合するケーブル側コネクタと、基板側コネクタとを備えている。以下の説明において、従来技術によるシールド機能付きコネクタのケーブル側コネクタを単にプラグコネクタ、また、基板用コネクタをピンタイプコネクタと呼ぶ。
　【０００３】
　図２０乃至図２３は従来技術によるＦＰＣ又はＦＦＣに接続される中継コネクを示す図であり、図２０はプラグコネクタを示す斜視図であり、図２１は図２０のプラグコネクタの断面図であり、スライドインシュレータを用いた状態を示している。また、図２２は図２０のプラグコネクタのＦＰＣとの嵌合状態を示す断面図、図２３は図２０のプラグコネクタのピンタイプコネクタとの嵌合状態を示す断面図である。
　【０００４】
　図２０乃至図２３に示すように、従来技術によるプラグコネクタ１００は、並設された複数のコンタクト１０１と、複数のコンタクト１０１を収容する収容部１０５を備えたベースインシュレータ１０２と、ベースインシュレータ１０２の周囲に設けられたシェル１０３と、シェル１０３の一端（図２１では右側）の下部に収容され、シェル１０３と共にベースインシュレータ１０２に対して前後方向（図２１では左右方向）にスライド移動可能なスライドインシュレータ１０４とを備えている。
　【０００５】
　コネクタ１００の一端（図２１では右端）には、フレキシブル配線基板（以下、ＦＰＣと呼ぶ）１２０が嵌合され、コネクタ１００の他端（図２１では左端）には、ピンタイプのコネクタ１１０が嵌合される。
　【０００６】
　コネクタ１００において、図２３に最も良く示されるように、べースインシュレータ１０２の収容部１０５は、一端側が開口しており、他端には、ピンタイプのコネクタ１１０のピンコンタクト１１５の先端部１１５ａが挿入できるように、他端の先端から収容部１０５まで貫通した挿入孔１０６が設けられている。
　【０００７】
　また、ピンコンタクト１０１の一端は、ＦＰＣ１２０の一面１２１に設けられたコンタクトパターンと接触する接触片１０１ａとＦＰＣ１２０がスライドインシュレータとともにコネクタ１００との嵌合の際に、スライドインシュレータ１０４を挿入方向と直交する方向に接触片１０１ａに向かって押圧するための押圧片１０１ｂを備えており、これらの接触片１０１ａと押圧片１０１ｂとによって、ＦＰＣ嵌合部１０１ｃを構成する。
　【０００８】
　ピンタイプのコネクタ１１０は、嵌合側端部である一端に開口が形成された中空部１１２を備えたインシュレータ１１３と、このインシュレータ１１３の他端側に設けられた後壁１１４を他端側から貫通して、中空部１１２内に突出した先端部１１５ａを有するピンコンタクト１１５を備え、このピンコンタクト１１５は、コネクタ１１０の幅方向に互いに離れて複数並設されている。
　【０００９】
　また、ＦＰＣ１２０は、一端の一面側にコンタクト１０１の接触片と接触するコンタクトをなす図示しない裏側パターン（グランドパターン）及び表側パターン（信号パターン）が設けられている。
　【００１０】
　この従来技術によるプラグコネクタ１００に、ＦＰＣ１２０を挿入する際には、図２１に示す開放状態で、ＦＰＣを内部に挿入の後、スライドインシュレータ１０４をシェル１０３を介して図２０に示すように押し込むと、押圧片１０１ｂがスライドインシュレータ１０４を介してＦＰＣ１２０の他面（裏面）側を押し、一面側に設けられた表側パターンを接触片１０１ａに押圧することによって、コネクタ１００とＦＰＣ１２０とが完全に結合される。
　【００１１】
　一方、コネクタ１００に、ピンタイプのコネクタ１１０を嵌合する際には、図２３に示す状態から、互いのコネクタの一端を嵌合させると、ピンコンタクト１１５の先端部１１５ａが挿入孔１０６を通過し、二又状のコンタクト嵌合部１０１ｄ間に挟み込まれて、電気接続がなされるとともに、バネ片１０３ａによって、べースインシュレータ１０２の下端部がインシュレータ１１３の中空部内の下側面に圧接されて固定された状態となる。
　【００１２】
　図２４は、従来技術によるソケットコネクタを示す一部切り欠き斜視図である。図２４を参照すると、従来技術によるソケットコネクタ１３０は、外郭を形成するシェル１３１と、シェル内に設けられたインシュレータ１３２と、インシュレータに埋設されたコンタクト１３３とを備えている。シェル１３１の一面側には、開口１３５が形成されて、相手側のプラグコネクタと嵌合される。また、他面側には、コンタクト一端が露出して基板接続部１３４が形成され，基板に半田付け可能となっている。
　【００１３】
　図２５は、図２４のコネクタに嵌合されるプラグコネクタのプラグコンタクトを示す斜視図である。図２５に示すように、プラグコンタクト１４０は、断面Ｕ字状で、相手コンタクト嵌合部は先端部がやや広がる形状となっている。
　【００１４】
　【発明が解決しようとする課題】
　しかしながら、前述した従来技術によるプラグコネクタ１００は、コンタクト１０１が複雑な断面形状を有するので、インピーダンスの整合が困難であるという欠点を有している。
　【００１５】
　また、ＦＰＣ１２０の表側のグランドパターンに接触するコンタクト１０１の接触片１０１ａは、ＦＰＣ１２０の裏側１面のグランド面とは、電気的に無関係なので、グランドが完全でないという欠点を有した。
　【００１６】
　また、基板側コネクタとの嵌合可能な構造が、ピンタイプのコネクタとの嵌合なので、嵌合挿抜時に、ピンコタクトによるコンタクトの嵌合部の座屈、変形が起こりやすいという欠点を有している。
　【００１７】
　さらに、従来技術によるプラグコネクタは、スライドインシュレータ１０４を使用しているので、部品点数がその分多くなり、また、スライドインシュレータ１０４の嵌合分だけ高さ
が
　【００１８】
　また、従来のソケットコネクタは、ピンタイプの為に、相手側コネクタであるプラグコネクタの嵌合挿抜時にピン曲がりが発生しやすい。また、図２５に示すように、相手側コンタクトは、ピンを覆うような箱型形状の複雑なコンタクトになる為、インピーダンスマッチングしにくいという欠点を有した。
　【００１９】
　また、ソケットコネクタにおいて、コンタクト数本にグランド信号を流したとしても、シェルとのつながりが無く、１本、１本のコンタクトが分離しているので、グランドコンデションが良くないという欠点を有した。
　【００２０】
　また、ソケットコネクタは、シェル１枚で相手コネクタを全面で誘う為、誘い難く、変形し易いという欠点を有した。
　【００２１】
　そこで、本発明の第１の技術的課題は、コンタクトによるインピーダンスの変動が少いプラグコネクタを提供することにある。
　【００２２】
　また、本発明の第２の技術的課題は、ＦＰＣのグランドパターンに接続の際に、確実になおかつ完全にグランド信号の伝送を行うことができるプラグコネクタを提供することにある。
　【００２３】
　また、本発明の第３の技術的課題は、嵌合・挿抜時の座屈変形に強いコンタクトを備えたプラグコネクタを提供することにある。
　【００２４】
　また、本発明の第４の技術的課題は、コネクタの高さが薄くでき部品点数も少くて済むプラグコネクタを提供することにある。
　【００２５】
　また、本発明の第５の技術的課題は、ＦＰＣとの嵌合後、ＦＰＣが簡単に抜けのない構造を備え、ドライバーなどの治具を使う事で、ＦＰＣ離脱の為のスライダ操作が簡単にできる構造を備えたプラグコネクタを提供することにある。
　【００２６】
　また、本発明の第６の技術的課題は、相手側コネクタ嵌合挿抜時の座屈、変形に強いソケットコネクタを提供することにある。
　【００２７】
　また、本発明の第７の技術的課題は、グランドコンディションが良く、グランドが正確に、且つ完全なものとすることができるソケットコネクタを提供することにある。
　【００２８】
　また、本発明の第８の技術的課題は、インピーダンスがマッチングし易いソケットコネクタを提供することにある。
　【００２９】
　また、本発明の第９の技術的課題は、相手側コネクタが誘い易く、また、グランドプレートに接触部先端が座屈その他の変形しにくくなり、また、強度アップにもなり、製品の高さが低減されるソケットコネクタを提供することにある。
　【００３０】
　また、本発明の第１０の技術的課題は、高速伝送に対応し、小型で操作性の良いソケットコネクタを提供することにある。
　【００３１】
　さらに、本発明の第１１の技術的課題は、上記利点を備えたプラグコネクタとソケットコネクタを備えた高速伝送コネクタを提供することにある。
　【００３２】
　【課題を解決するための手段】
　本発明によれば、インシュレータの一端に相手側コネクタと第１の方向に沿って嵌合する相手側コネクタ嵌合部と、前記インシュレータの他端に同様に第１の方向に沿ってＦＰＣ又はＦＦＣに嵌合するためのＦＰＣ嵌合部とを備えたプラグコネクタにおいて、前記ＦＰＣ嵌合部には、複数の第１のプラグコンタクトと、夫々グランド信号を送るための第２のプラグコンタクトとが、前記第１のプラグコンタクトの２本づつを１ペアとし、この１ペア間に前記第２のプラグコンタクトが配置されるように、前記インシュレータ内の前記第１の方向に交差する第２の方向に並設され、前記第２のプラグコンタクトの夫々は、一枚の導電板からなるグランドプレートに形成され、前記第１のプラグコンタクトと、前記グランドプレートとで、前記インシュレータを挟み込んで構成されていることを特徴とするプラグコネクタが得られる。
　【００３３】
　【００３４】
　また、本発明によれば、インシュレータの一端に相手側コネクタと第１の方向に沿って嵌合する相手側コネクタ嵌合部と、前記インシュレータの他端に同様に第１の方向に沿ってＦＰＣ又はＦＦＣに嵌合するためのＦＰＣ嵌合部とを備えたプラグコネクタにおいて、前記ＦＰＣ嵌合部には、前記第１の方向に交差する第２の方向に並んだ第１のプラグコンタクトの２本のペアと、前記ペアの間に配置されたグランド信号を送るための第２のプラグコンタクトとからなるコンタクト群の複数が、前記インシュレータ内に配置され、前記第２のプラグコンタクトの夫々は、一枚の導電板からなるグランドプレートに形成され、前記第１のプラグコンタクトは、夫々前記第１の方向に延長した延長部を形成し、前記相手側コネクタ嵌合部は、前記延長部と、前記インシュレータと、前記延長部に対して前記第１及び第２の方向に交差する第３の方向に前記インシュレータを介して対向した前記グランドプレートとを備えた板形状を有することを特徴とするプラグコネクタが得られる。
　【００３５】
　また、本発明によれば、前記プラグコネクタにおいて、前記相手側コネクタ嵌合部は、ノンピンタイプのプラグ側嵌合部として形成されていることを特徴とするプラグコネクタが得られる。
　【００３６】
　また、本発明によれば、前記いずれかのプラグコネクタにおいて、前記グランドプレートは、前記第２のプラグコンタクトによって、それ自体でＦＰＣを挟み込むことが可能な形状を有していることを特徴とするプラグコネクタが得られる。
　【００３７】
　また、本発明によれば、前記いずれかのプラグコネクタにおいて、外周部に前記第１の方向にスライド移動可能なシェルを備え、前記シェルは、前記ＦＰＣが嵌合の際に、前記ＦＰＣを前記コンタクト群に接触させるように、前記第１の方向に移動させるスライダー部を備えていることを特徴とするプラグコネクタが得られる。
　【００３８】
　また、本発明によれば、前記プラグコネクタにおいて、前記シェルは、前記ＦＰＣが嵌合の際、抜けを防止する抜止手段を備えていることを特徴とするプラグコネクタが得られる。
　【００３９】
　また、本発明によれば、前記プラグコネクタにおいて、前記ＦＰＣの抜けを防止するロック手段を備え、前記ロック手段は、前記インシュレータの前記第２の方向に突出する突出部と、前記インシュレータの突出部に対応して前記シェルに設けられた孔を備えたバネ部を持ち、前記ロック手段は、治具を用いて容易に解除可能に形成されていることを特徴とするプラグコネクタが得られる。
　【００４０】
　また、本発明によれば、前記いずれかのプラグコネクタにおいて、前記シェルは、前記スライダー部とともに一体の部品で形成されていることを特徴とするプラグコネクタが得られる。
　【００４１】
　また、本発明によれば、前記プラグコネクタにおいて、前記スライダー部は１個の部品のみによって形成された板状の電気材料からなることを特徴とするプラグコネクタが得られる。
　【００４２】
　また、本発明によれば、相手側コネクタ
であるプラグコネクタ
プラグコネクタ
インシュレータに保持された複数の
夫々２本ずつを１つのペアとして備えた夫々複数の第１の接触部及び第２の接触部を夫々備え、前記第１の接触部のペアと前記第２の接触部のペアとが
　前記第１のソケットコンタクトは、
前記第１の相手側コネクタ嵌合部に配置され
前記複数の第１の
前記
第１の
である幅方向
、前記第３方向における前記第１のソケットコンタクトが配設される側とは反対側の端部から前記第１の相手側コネクタ嵌合部まで前記第１の方向の
前記
各第２の
前記第１の方向に対して反対側に延在する
第２の
ソケットコネクタの
である厚さ方向に起立した細長い板状の平面として
れ、前記第１の半田付端子部の２本が前記第２の半田付け端子部の２本の間に前記第２の方向で挟み込まれるように、前記第２の方向に沿う一平面上に配置されている
　【００４３】
　【００４４】
　【００４５】
　また、本発明によれば、前記グランドプレートの前記連結部と前記複数の接触部と前記半田付端子部とが一枚板の打ち抜きによって一体形成されていることを特徴とするソケットコネクタが得られる。
　【００４６】
　また、本発明によれば、前記ソケットコネクタにおいて、周囲に導電性のシェルを備え、前記グランドプレートは、前記接触部の一面側において、前記相手側グランドコンタクトと接触するとともに、前記接触部の他面側において、前記シェルと接触していることを特徴とするソケットコネクタが得られる。
　【００４７】
　また、本発明によれば、前記ソケットコネクタにおいて、前記シェルは、前記第１の相手側コネクタ嵌合部において、折り返し部が設けられているとともに、前記グランドプレートの接触部を収容するための切り欠き部が設けられていることを特徴とするソケットコネクタが得られる。
　【００４８】
　さらに、本発明によれば、前記ソケットコネクタにおいて、前記グランドプレートの接触部は、前記連結部の下端から前方に折曲して前方に延在するとともに、前記半田付端子部は、前記連結部の上端から後方に延在しているか又は前記連結部の下端から後方に延在していることを特徴とするソケットコネクタが得られる。
　【００４９】
　【発明の実施の形態】
　以下、本発明の実施の形態について図面を参照して説明する。
　【００５０】
　図１は本発明の実施の形態によるプラグコネクタを示す斜視図である。図２及び図３は、図１のプラグコネクタの１Ａ−１Ａ線及び１Ｂ−１Ｂ線における部分断面図である。
　【００５１】
　図１乃至図３を参照すると、プラグコネクタ１０は、図示しない基板側コネクタであるソケットコネクタと嵌合方向である第１の方向に沿って嵌合するためのソケットコネクタ嵌合部５、及びＦＰＣ又はＦＦＣと同じく第１の方向に沿って嵌合するためのＦＰＣ嵌合部４の双方をこの第１の方向である嵌合方向両端に持ち合わせている。ここで、以後説明の便宜上、第１の方向において、プラグコネクタ１０のＦＰＣ嵌合部４側を前側、ソケットコネクタ嵌合部５側を後側と呼ぶ。
　【００５２】
　プラグコネクタ１０は、絶縁材料からなるインシュレータ１と、インシュレータ１の周囲を覆うシェル２と、インシュレータ１中に、第１の方向とは直交する第２の方向である幅方向に並んで差し込まれる複数のプラグコンタクト（以下、第１のプラグコンタクトと呼ぶ）３と、インシュレータ１中に第１のプラグコンタクト３とは接点を持たないように差し込まれるグランドプレート７とを備えている。この第１のプラグコンタクト３は板ばねで形成されているので、接続の際のインピーダンス変化が小さい。
　【００５３】
　また、インシュレータ１は、第１及び第２の方向に直交する第３の方向、即ち、厚み方向に上板１ｅ，中板１ｆ，下板１ｇとで互い違いに端部を重ね合わせた断面が略横Ｙ字形状を有する。上板１ｅの下端には、第１の方向に延びる突条が設けられて、ＦＰＣの一端側のコンタクトの収容溝１ｄをその間に形成している。
　【００５４】
　シェル２は後端に開口を有する導電材料からなる箱型で、前端は、後方に折り込まれた平板からなるスライダー部２ｂを備えた開口２ａを形成するとともに、開口２ａにインシュレータ１の前端部が突出して、スライダー部２ｂとインシュレータ１の上板１ｅの前端部とによりＦＰＣを挿入するためのＦＰＣ嵌合部４が形成されている。
　【００５５】
　また、スライダー部２ｂの両側には、図示しないＦＰＣの挿入を案内するとともに、ＦＰＣの抜け止めを防止する抜止手段としての抜け止め片２ｃが設けられている。また、シェル２の上面両側に切り込みによって形成されたバネ片２ｄが設けられている。
　【００５６】
　図２に最も良く示されるように、夫々の第１のプラグコンタクト３は、インピーダンス変化の少い１枚の単純な板バネ構造を備え、インシュレータ１に圧入支持される圧入部３ｃと、圧入部３ｃから前方に延在し先端がＵ字状に屈曲するとともに、ＦＰＣ嵌合部４に突出したＦＰＣ接触部３ａと、圧入部３ｃからインシュレータ１の面に沿って後方に延在し、インシュレータ１の後端の斜面に沿って下方に屈折するコンタクト接触部３ｂとを備えている。
　【００５７】
　複数の第１のプラグコンタクト３は、幅方向に並設して設けられているが、特に、作動信号を意識し、第１のプラグコンタクト３の２本づつ１ペアとし、この例では、合計７ペアの配列をとっている。
　【００５８】
　コンタクト接触部３ｂは、インシュレータ１の後端の中板１ｆの上面側に設けられた溝１ｃ内に挿入されている。ソケットコネクタと嵌合するソケットコネクタ嵌合部５において、第１のプラグコンタクト３の裏面には、インシュレータ１を挟んでグランドプレート７が一面に位置している。
　【００５９】
　このインシュレータ１を挟み込むように設けられたコンタクト接触部３ｂ及びグランドプレート７が一枚の板状に形成されて、プラグコネクタ１０の後端に、ピン端子のないノンピン構造のソケットコネクタ嵌合部５を構成している。
　【００６０】
　図３に最も良く示されるように、グラントプレート７は、前側は、スライダー部２ｂとインシュレータ１の間に挟み込まれて配置されているとともに、後側は、インシュレータ１の後端の下面に露出して、後方にインシュレータ１の中板１ｆの下方に突出した突出部１ａまで延在している。また、グランドプレート７は、切り込みによって形成された切り込み片を板面から起立させ前方に折り曲げ、ＦＰＣ接触部３ａ同様に先端をＵ字状に屈曲させるとともに、ＦＰＣ嵌合部４に突出させたコンタクト状のバネ接触部７ａ（以下、第２のプラグコンタクトと呼ぶ）を有している。このグランドプレート７の第２のプラグコンタクト７ａは、ＦＰＣの表側パターンの内のグラウンドパターンとの接触の為に設けられ、プラグコンタクト３の各ペアのＦＰＣ接触部３ａ間に配置されている。
　【００６１】
　図４は図１〜図３で示したグランドプレートのみを示す斜視図である。
　【００６２】
　図４に示すように、ＦＰＣの表側パターンの内のグランドパターンとの嵌合接触の為のバネ接触部（第２のプラグコンタクト）７ａが数か所に位置している。これは、前述したように、第１のプラグコンタクト３のペア間に１か所づつあり、この第２のプラグコンタクト７ａからなるバネ接触部は、嵌合するＦＰＣをそれ自体に挟みこめる形状となっており、ＦＰＣの表裏両面のグランドパターンと接触して、ＦＰＣのグランド信号を確実に伝達することができる。また、図示しないソケットコネクタと嵌合するソケットコネクタ嵌合部側７ｃは、一枚の板状になっているので、グランド信号を広い面積にして伝送できる構成となっている。
　【００６３】
　図５乃至図７は図１乃至図４に示したプラグコネクタのスライド部を開放した状態（以下、単に開放状態と呼ぶ）を示す図であり、図５は斜視図、図６は図２と同様な位置における断面図、図７は図３と同様な位置における断面図である。図５乃至図７に示すように、プラグコネクタの開放状態において、第１のプラグコンタクト３及びグランドプレート７を装着したインシュレータ１に対して、シェル２を前方にスライド移動することによって、プラグコネクタ１０は、開放状態となる。
　【００６４】
　図８乃至図１０は、図１乃至図７に示したプラグコネクタのＦＰＣと嵌合状態を示す図であり、図８は斜視図、図９は図２と同様な位置における部分断面図、図１０は図３と同様な位置における部分断面図である。
　【００６５】
　図８乃至図１０を参照すると、図６に示す開放状態において、ＦＰＣ２０を差し込み、次にシェル２をインシュレータ１側に押し込み、シェル２の底部２ｅの先端がインシュレータ１の下側の突出段部１ｂに当接することによって、シェル２の移動が阻止され、嵌合が完成している。
　【００６６】
　この時に、図９にて最も良く示されるように、ＦＰＣ２０の表面パターン２１は、第１のプラグコンタクト３のＦＰＣ接触部３ａに接触し、一方、ＦＰＣ２０の裏面パターン２２は、シェル２のスライダー部２ｂ
に
　【００６７】
　また、図１０に最も良く示されるように、シェル２のスライダー部２ｂが、ＦＰＣ２０の下方に入り込むことによって、ＦＰＣ２０を上方に押し上げ、グランドプレート７のバネ接触部７ａと、ＦＰＣ２０の表面パターン２１とが接触する。また、前述と同様に、ＦＰＣ２０の裏面パターン２２は、シェル２のスライダー部２ｂ
に
　【００６８】
　図１１はシェル２のインシュレータ１へのロック部１１を主に示す部分斜視図である。図１２は、ロック部を主に示す平面図である。
　【００６９】
　図１１及び図１２に示すように、シェル２に形成されたロック手段としてのロック部１１は、シェル２の側部寄りに形成されたバネ部１３と、バネ部１３に形成された長四角の孔部１２と、シェル２のバネ部１３の外側に対向形成されたバネ変位止め部１４とを有し、また、インシュレータ
１
　【００７０】
　図１２に最も良く示されるように、ＦＰＣ２０が嵌合の際に、バネ部１３の孔部１２内に、インシュレータ１の突出部１５が挿入することによって、シェル２とインシュレータ１との移動が阻止、即ち、ロックされる。一旦ロックされれば、ＦＰＣ２０をインシュレータに対して引っ張っても抜けない構成である。
　【００７１】
　しかし、図１２に示すように、ドライバ等の治具２６を、プラグコネクタ１０の両側に後方に形成された隙間１６に挿入して、バネ部１３を図１２において、下方外側に移動させると、バネ部１３の孔部１２と、インシュレータ１の突出部１５との係合が解除されて、シェル２が移動し、ＦＰＣ２０を容易に離脱させることができる。
　【００７２】
　また、図１３は、抜止手段としてシェル２に設けられた抜止機構を示す斜視図である。図１３に示すように、ＦＰＣ２０の前面両側には、幅方向に突出した抜止部２４が形成されており、嵌合の際に、シェル２の両側に設けられた抜止片２ｃが、抜止部２４に当接して、ＦＰＣ２０の抜けることが阻止される抜止機構が構成される。
　【００７３】
　以上、本発明の実施の形態によるプラグコネクタは、ＦＰＣ２０と嵌合するＦＰＣ嵌合部のみについて説明したが、このＦＰＣ嵌合部は、ＦＦＣについても同様に用いることができることは明らかである。
　【００７４】
　図１４は本発明の実施の形態によるソケットコネクタの外観図である。図１５は図１４のソケットコネクタの一部切り欠き部分断面図である。図１４及び図１５を参照すると、ソケットコネクタ３０は、前端に先に説明したプラグコネクタに嵌合方向である第１の方向に嵌合するためのプラグコネクタ嵌合部３２を備え、後端に基板に半田付けするための基板接続部３１を備えている。ここで、以後説明の便宜上、第１の方向において、ソケットコネクタ３０のプラグコネクタ嵌合部３２側を前側、基板に接続するための基板接続部３１側を後側と呼ぶ。
　【００７５】
　ソケットコネクタ３０は、断面横Ｌ字型のインシュレータ３３と、インシュレータ３３に植設されたシグナルソケットコンタクト（以下、第１のソケットコンタクトと呼ぶ）３５と、グランドプレート３６と、インシュレータ周囲に設けられ、ソケットコネクタの外郭をなすシェル３４とを備えている。
　【００７６】
　インシュレータ３３は、天井板３３ａと、ソケットコネクタ３０の後端側に天井板３３ａと一体に設けられた底板３３ｂとを備えている。天井板３３ａと底板３３ｂとの間に、シグナルコンタクト３５が植設されている。
　【００７７】
　シェル３４は、箱型で、前端に開口３４ａを備え、インシュレータ３３を覆うように設けられた上板３４ｅと、第１の方向に直交する第２の方向である幅方向の両端にＵ字をなすように突出した基板用固定部３４ｄと、底板３４ｂとを備えている。基板用固定部３４ｄは、ＰＣＢに対する半田固定部をなし、シェル３４は、電気的にはグランド機能を有する。
　【００７８】
　シェル３４において、底板３４ｂは、前端部が折り返されて２重になった折り返し部３４ｉと、後に詳しく説明するグランドコンタクト３６の接触部３６ｆに対応して切り欠かれた切り欠き部３４ｇとを備えている。折り返し部３４ｉは、ソケットコネクタの相手側コネクタであるプラグコネクタ嵌合部を誘い且つこの部分での強度が高められている。シェル３４の切り欠き部３４ｇは、後に述べるグランドプレート３６の接触部３５ｆ先端の保護をしている。
　【００７９】
　図１５に最も良く示されるように、シグナルコンタクトである第１のソケットコンタクト３５は、バネ弾性を備え、また、インピーダンスマッチングに対応した細長い板形状を有する。第１のソケットコンタクト３５は、一端がプラグコネクタ嵌合部に収容され相手側コンタクトに接触するためにくの字状に屈曲して形成された接触部３５ｃと、接触部３５ｃからコネクタの後方に延在するとともにインシュレータ３３に固定されて支持される支持部３５ｂと、支持部３５ｂからソケットコネクタ３０の後方外部に第１の方向に沿って延在して折曲して、第１及び第２の方向に直交する第３の方向である下方に延び、さらに水平方向である第１の方向に折曲って水平に延在してプリント配線基板に半田付するための半田付端子部３５ａを形成している。この様に、シグナルコンタクト３５は、板状にシンプルな構造を有し、したがって、容易にインピーダンスマッチングさせる事ができる。
　【００８０】
　図１６は図１４及び図１５のグランドプレート３６を示す斜視図である。図１６を参照すると、グランドプレート３６は、導電材料の一枚板を打ち抜き、プレス加工した物からなり、ソケットコネクタ３０の幅方向である第２の方向に延在する連結部３６ｃと、連結部３６ｃから折れ曲がって後方に延在する半田付端子部３６ａと、半田付端子部３６ａと同じ位置から上方に延在して前方に屈曲するインシュレータに固定するための固定部３６ｂと、これら半田付端子部３６ａ及び固定部３６ｂの対間に配置されたバネ弾性を備えたコンタクト基部３６ｅと、コンタクト基部３６ｅから前方に並んで延在する一対の接触部（第２のソケットコンタクト）３６ｆとを有している。
　【００８１】
　図１４及び図１５を再び参照して、シグナルコンタクトである第１のソケットコンタクト３５が一対づつ並んで具体的には７対がインシュレータ３３に支持されている。即ち、このソケットコネクタ３０の第１のソケットコンタクト３５は、７ペアの差動信号伝送用に用いられる。
　【００８２】
　ソケットコネクタ３０のプラグコネクタ嵌合部３２内において、第１のソケットコンタクト３５の接触部３５ｃは、天井面側に設けられており、これに第３の方向に対向して底部側には、グランドプレート３６の接触部からなる第２のソケットコンタクト３６ｆが設けられている。第２のソケットコンタクト３６ｆは、シェル３４の切欠部
３４
　【００８３】
　また、ソケットコネクタ３０の後方に突出したシグナル用の第１のソケットコンタクト３５の半田付端子部３５ａ，３５ａを第２の方向（ソケットコネクタ３０の幅方向）に挟み込む位置となるように、グランドプレート３６の半田付端子部３６ａが配置されている。尚、グランドプレート３６から半田付端子部３６ａを出来るだけ多くだすことで、グランドコンディションを良くすることができる。
　【００８４】
　図１７は図１６のグランドプレートの変形例を示す斜視図である。図１７を参照すると、グランドプレート３６´は連結部３６ｃ´の両端に固定部３６ｂ´が形成され、連結部３６ｃ´の上部から半田付端子部３６ａ´が延在して形成されており、また、連結部３６ｃ´の下部からは、図１６に示したものと同様に、接触部基部３６ｅ´及びそれに連続する接触部３６ｆ´，３６ｆ´が形成されている。
　【００８５】
　図１８は図１４及び図１５に示されたプラグコネクタの断面の一例を示す図で、図１乃至図１３で説明したものと同様の構成を有している。図１８に示すように、プラグコネクタ１０は、一端側にＦＰＣ嵌合部４を備え、他端部にソケットコネクタ嵌合部５とを備えている。尚、符号２０は、ＦＰＣ嵌合部４に接続されロックされたＦＰＣである。
　【００８６】
　次に、図１９を用いて、本発明の実施の形態によるソケットコネクタとプラグコネクタとの嵌合について説明する。
　【００８７】
　図１９は、図１４のソケットコネクタ３０と図１８のプラグコネクタ１０とを嵌合させた状態を示す部分断面図である。
　【００８８】
　図１９に示すように、プラグコネクタ嵌合部３２内に第３の方向にソケットコネクタ３０のシグナルコンタクトであるペアの第１のソケットコンタクト３５の接触部３５ｂとソケットコネクタ３０のグランドプレート３６の接触部である第２のソケットコンタクト３６ｆとが対向配置されている。
　【００８９】
　プラグコネクタ１０のソケットコネクタ嵌合部５とソケットコネクタ３０のプラグコネクタ嵌合部３２とが嵌合する事で、プラグコネクタ嵌合部３２内に第３の方向に対向配置された一対の第１のソケットコンタクト３５の接触部３５ｂと第２の接触部３６ｆ間に挟み込まれる。
　【００９０】
　この時に、プラグコネクタ１０のシグナルコンタクトである第１のプラグコンタクト３の接触部３ｂとソケットコネクタ３０のシグナルコンタクトである第１のソケットコンタクトの接触部３５ｃとが接触する。
　【００９１】
　一方、プラグコネクタ１０のグランドプレート７のグランド接触部７ｆとソケットコネクタ３０のグランドプレート３６の接触部３６ｆが接触する。また、ソケットコネクタ３０のグランドプレート３６の接触部基部が裏面でシェル３４の底部３４ｆに接触する。
　【００９２】
　以上説明したように、本発明の実施の形態によるソケットコネクタ３０においては、シグナルコンタクト３５の接触部３５ｃとグランドプレート３６の接触部３６ｆがプラグコネクタ嵌合部３２の上下に位置するノンピンタイプのソケットコネクタなので、プラグコネクタ１０の嵌合挿抜の際の座屈や変形に強い。
　【００９３】
　また、グランドプレート３６が、グランド嵌合接触部として、多数の接触部を有し、また、多数の半田付端子部３６ａを１個の部品としての１枚のプレートに形成されている為、グランドコンディションが良く、グランドが正確に、且つ完全なものになる。また、そのグランドプレート３６の接触部３６ｆは、シェル３４に多点で接触するので、更に、グランドコンディションを良好に保つ事ができる。
　【００９４】
　また、本発明の実施の形態によるソケットコネクタ３０のシグナルコンタクト３５は、板状のシンプルな形状なので、インピーダンスマッチングが容易である。また、シェル
３４
３４
　【００９５】
　【発明の効果】
　以上説明したように、本発明によれば、コンタクトが一枚の板ばねからなるので、コンタクトによるインピーダンスの変化が少いプラグコネクタを提供することができる。
　【００９６】
　また、本発明によれば、ＦＰＣの一面のグランドパターンとＦＰＣの他面のグランドパターンとに一枚のグランドプレートが接触するので、確実になおかつ完全にグランド信号の伝送を行うことができるプラグコネクタを提供することができる。
　【００９７】
　また、本発明によれば、ソケットコネクタとの嵌合するコネクタ嵌合部は、ノンピン構造であるので、嵌合・挿抜時の座屈変形に強いプラグコネクタを提供することができる。
　【００９８】
　また、本発明によれば、ＦＰＣの表側グランドパターンに接触するグランドプレートの第２のコンタクトは、ＦＰＣをそれ自身単体で挟み込む接触構造なので、接触信頼性が高いプラグコネクタを提供することができる。
　【００９９】
　また、本発明によれば、ＺＩＦタイプとして嵌合する為のスライダー部として、シェルの一部分が機能を持っているが、それ単体のみで機能するので、製品の高さが薄くでき部品点数も少くて済むプラグコネクタを提供することができる。
　【０１００】
　また、本発明によれば、スライダー部としての機能を持つシェルは、あらゆるロック機能を持っているので、ＦＰＣの嵌合後、ＦＰＣが簡単に抜けのない構造であり、しかもドライバーなどの治具を使う事で、ＦＰＣ離脱の為のスライダー操作が簡単にできる構造を備えたプラグコネクタを提供することができる。
　【０１０１】
　また、本発明によれば、シグナルコンタクトとグランドプレート嵌合接触部が上下に位置するノンピンタイプのソケットコネクタなので、相手側コネクタ嵌合挿抜時の座屈、変形に強いソケットコネクタを提供することができる。
　【０１０２】
　また、本発明によれば、グランドプレートが、グランド嵌合接触として、多数の接触部を有し、また、多数の半田付端子を１枚のプレートとして（１個の部品として）有している為、グランドコンディションが良く、グランドが正確に、且つ完全なものになる。また、そのグランド接触部のバネ部は、シェルとも多点で接触するので、更に、グランドコンディションが良いソケットコネクタを提供することができる。
　【０１０３】
　また、本発明によれば、シグナルコンタクトが、板状のシンプルな形状なので、インピーダンスがマッチングし易いソケットコネクタを提供することができる。
　【０１０４】
　また、本発明によれば、シェルの相手側プラグコネクタとの嵌合部には、折り返しがあるので、相手側コネクタが誘い易く、また、切り欠きにより、グランドプレートに接触部先端が座屈その他の変形しにくくなっている。折り返しのあることで、強度アップにもなり、この部分のインシュレータの存在が必要なく、製品の高さが低減されるソケットコネクタを提供することができる。
　【０１０５】
　したがって、本発明によれば、高速伝送に対応し、小型で操作性の良いソケットコネクタを提供することができる。
　【０１０６】
　さらに、本発明によれば、上記利点を備えたプラグコネクタとソケットコネクタを備えた高速伝送コネクタを提供することができる。
【図面の簡単な説明】
　【図１】
　本発明の実施の形態によるプラグコネクタを示す斜視図である。
　【図２】
　図１のプラグコネクタの１Ａ−１Ａ線における部分断面斜視図である。
　【図３】
　図１のプラグコネクタの１Ｂ−１Ｂ線における部分断面斜視図である。
　【図４】
　図１〜図３で示したグランドプレートのみを示す斜視図である。
　【図５】
　図１乃至図４に示したプラグコネクタのスライド部を開放した状態（以下，単に開放状態と呼ぶ）を示す斜視図である。
　【図６】
　図５のプラグコネクタの図２と同様な位置における部分断面斜視図である。
　【図７】
　図５のプラグコネクタの図３と同様な位置における部分断面斜視図である。
　【図８】
　図１乃至図７に示したプラグコネクタのＦＰＣと嵌合状態を示す斜視図である。
　【図９】
　図８に示した状態のプラグコネクタの図２と同様な位置における部分断面斜視図である。
　【図１０】
　図８に示した状態のプラグコネクタの図３と同様な位置における部分断面斜視図である。
　【図１１】
　本発明の実施の形態によるプラグコネクタのシェル２のインシュレー
タへ
　【図１２】
　本発明の実施の形態によるプラグコネクタのシェル２のインシュレー
タへ
　【図１３】
　本発明の実施の形態によるプラグコネクタの抜止手段としてシェル２に設けられた抜止機構を示す斜視図である。
　【図１４】
　本発明の実施の形態によるソケットコネクタの外観図である。
　【図１５】
　図１４のソケットコネクタの一部切り欠き部分断面図である。
　【図１６】
　図１４及び図１５のグランドプレート３６を示す斜視図である。
　【図１７】
　図１６のグランドプレートの変形例を示す斜視図である。
　【図１８】
　図１４及び図１５に示された相手側プラグコネクタの断面の一例を示す図である。
　【図１９】
　図１９は、図１４のソケットコネクタと図１８のプラグコネクタとを嵌合させた状態を示す部分断面図である。
　【図２０】
　従来技術によるＦＰＣ又はＦＦＣに接続される中継コネクを示す斜視図である。
　【図２１】
　図２０のプラグコネクタの断面図であり，スライドインシュレータを用いた状態を示している。
　【図２２】
　図２０のプラグコネクタのＦＰＣとの嵌合状態を示す断面図である。
　【図２３】
　図２０のプラグコネクタのピンタイプコネクタとの嵌合状態を示す断面図である。
　【図２４】
　従来技術によるソケットコネクタを示す一部切り欠き斜視図である。
　【図２５】
　図２４のコネクタに嵌合されるプラグコネクタのプラグコンタクトを示す斜視図である。
　【符号の説明】
　１　インシュレータ
　１ａ　突出部
　１ｂ　突出段部
　１ｃ　溝
　１ｄ　コンタクトの収容溝
　１ｅ　上板
　１ｆ　中板
　１ｇ　下板
　２　シェル
　２ａ　開口
　２ｂ　スライダー部
　２ｃ　抜け止め片
　２ｄ　バネ片
　２ｅ　底部
　３　第１のプラグコンタクト
　３ａ　ＦＰＣ接触部
　３ｂ　コンタクト接触部
　３ｃ　圧入部
　４　ＦＰＣ嵌合部
　５　ソケットコネクタ嵌合部
　７　グランドプレート
　７ａ　第２のプラグコンタクト（バネ接触部）
　１０　プラグコネクタ
　１１　ロック部
　１２　孔部
　１３　バネ部
　１４　バネ変位止め部
　１５　突出部
　２０　ＦＰＣ
　２１　表面パターン
　２２　裏面パターン
　２４　抜止部
　２６　治具
　３０　ソケットコネクタ
　３１　基部接続部
　３２　プラグコネクタ嵌合部
　３３　インシュレータ
　３３ａ　天井板
　３３ｂ　底板
　３４　シェル
　３４ａ　開口
　３４ｂ　底板
　３４ｅ　上板
　３４ｄ　基板用固定部
　３４ｇ　切り欠き部
　３４ｉ　折り返し部
　３５　第１のソケットコンタクト（シグナルコンタクト）
　３５ａ　半田付端子部
　３５ｂ　支持部
　３５ｃ　第１のソケットコタクトの接触部
　３６，３６´　グランドプレート
　３６ｃ，３６ｃ´　連結部
　３６ａ，３６ａ´　半田付端子部
　３６ｂ，３６ｂ´　固定部
　３６ｅ，３６ｅ´　コンタクト基部
　３６ｆ，３６ｆ´　第２のソケットコンタクト
　１００　プラグコネクタ
　１０１　ピンコンタクト
　１０１ａ　接触片
　１０１ｂ　押圧片
　１０１ｃ　ＦＰＣ嵌合部
　１０２　べースインシュレータ
　１０３　シェル
　１０３ａ　バネ片
　１０４　スライドインシュレータ
　１０５　収容部
　１０６　挿入孔
　１１０　コネクタ
　１１２　中空部
　１１３　インシュレータ
　１１４　後壁
　１１５　ピンコンタクト
　１１５ａ　先端部
　１２０　フレキシブル配線基板（ＦＰＣ）
　１３０　ソケットコネクタ
　１３１　シェル
　１３２　インシュレータ
　１３３　コンタクト
　１３５　開口
　１４０　プラグコンタクト
【図面】